(57)【特許請求の範囲】
【請求項１】
被検者の被検眼を検眼する検眼装置と、
被検者の額を当接させる額当てと、
検眼装置に対して前後する方向で異なる位置に被検者の顎を受ける顎受け部を備えた顎台とを有し、
前記検眼装置に近い位置にある顎受け部が使用位置と非使用位置に切り換えられることを特徴とする眼科装置。
【請求項２】
被検者の被検眼を検眼する検眼装置と、
被検者の額を当接させる額当てと、
検眼装置に対して前後する方向で異なる位置に被検者の顎を受ける顎受け部を備えた顎台とを有し、
異なる位置にある各顎受け部が顎台に対して不動であることを特徴とする眼科装置。
【請求項３】
被検者の被検眼を検眼する検眼装置と、
被検者の額を当接させる額当てと、
被検者の顎を受ける顎受け部を備えた顎台とを有し、
前記顎受け部が顎台に対して着脱可能になっており、着脱位置を変えることにより顎受け部が検眼装置に対して前後する方向で異なる位置に移動可能であることを特徴とする眼科装置。
【請求項４】
被検者の被検眼を検眼する検眼装置と、
被検者の額を当接させる額当てと、
被検者の顎を受ける顎受け部を備えた顎台とを有し、
前記顎受け部が顎台に対して折りたたみ可能になっており、顎受け部が折りたたまれることにより顎受け部が検眼装置に対して前後する方向で異なる位置に移動可能であることを特徴とする眼科装置。
【請求項５】
被検者の被検眼を検眼する検眼装置と、
被検者の額を当接させる額当てと、
被検者の顎を受ける顎受け部を備えた顎台と、
顎台に取り付けられ、第１と第２の位置に移動可能な移動部材とを有し、
前記移動部材は、顎台の検眼装置側に取り付けられた一面に顎受け部を有する表裏反転可能な部材であり、該移動部材が第２の位置に移動したときは顎受け部が表面にきて、検眼装置側に更に顎受け部が形成されることを特徴とする眼科装置。
【請求項６】
被検者の被検眼を検眼する検眼装置と、
被検者の額を当接させる額当てと、
被検者の顎を受ける顎受け部を備えた顎台と、
顎台に取り付けられ、第１と第２の位置に移動可能な移動部材とを有し、
前記移動部材は、水平軸を中心に顎台に対して回動可能な顎受け部を有する部材であり、該移動部材が第２の位置に移動したときは顎受け部が水平面にきて、検眼装置側に更に顎受け部が形成されることを特徴とする眼科装置。
【発明の詳細な説明】
【０００１】
【発明の属する技術分野】
本発明は、眼科装置、特に額当てに額を当て、顎台に顎を乗せて着座する被検者の被検眼を検眼する検眼装置を備えた眼科装置に関する。
【０００２】
【従来の技術】
例えば、眼底を検査する眼底カメラのような検眼装置では、眼底の検査位置を種々変化させるために、検眼装置の対物レンズの光軸の角度を変化させる必要が生じる。そのために、検眼装置本体を俯仰させる構成が知られている（例えば、実公昭５７−３６１６７号公報、実公平２−２８８８２号公報など）。
【０００３】
【発明が解決しようとする課題】
しかしながら、従来の眼科装置では、装置本体に重量があり、そのため本体を俯仰させる手段を頑丈な構造にしなければならず、複雑な機構となり、コスト上昇の原因となっていた。また、俯仰角度は限定されていて広い範囲をカバーすることができないので、例えば、眼底上部を撮影する場合、本体を下にして仰がせ、固視灯などを用いて被検者の視線が上を向くように誘導しており、被検者の負担が大きくなる、という問題があった。
【０００４】
従って、本発明は、このような問題点を解決するためになされたもので、簡単な構成により被検者の視線の方向を変えることができ、検眼範囲を広めることが可能な眼科装置を提供することをその課題とする。
【０００５】
【課題を解決するための手段】
本発明（請求項１）は、上記課題を解決するために、被検者の被検眼を検眼する検眼装置と、被検者の額を当接させる額当てと、検眼装置に対して前後する方向で異なる位置に被検者の顎を受ける顎受け部を備えた顎台とを有し、前記検眼装置に近い位置にある顎受け部が使用位置と非使用位置に切り換えられる構成（図３）を採用している。
【０００６】
また、本発明（請求項２）は、被検者の被検眼を検眼する検眼装置と、被検者の額を当接させる額当てと、検眼装置に対して前後する方向で異なる位置に被検者の顎を受ける顎受け部を備えた顎台とを有し、異なる位置にある各顎受け部が顎台に対して不動である構成（図６）も採用している。
【０００７】
また、本発明（請求項３）は、被検者の被検眼を検眼する検眼装置と、被検者の額を当接させる額当てと、被検者の顎を受ける顎受け部を備えた顎台とを有し、前記顎受け部が顎台に対して着脱可能になっており、着脱位置を変えることにより顎受け部が検眼装置に対して前後する方向で異なる位置に移動可能である構成（図５）も採用している。
【０００８】
また、本発明（請求項４）は、被検者の被検眼を検眼する検眼装置と、被検者の額を当接させる額当てと、被検者の顎を受ける顎受け部を備えた顎台とを有し、前記顎受け部が顎台に対して折りたたみ可能になっており、顎受け部が折りたたまれることにより顎受け部が検眼装置に対して前後する方向で異なる位置に移動可能である構成（図７）も採用している。
【０００９】
更に、本発明（請求項５）は、被検者の被検眼を検眼する検眼装置と、被検者の額を当接させる額当てと、被検者の顎を受ける顎受け部を備えた顎台と、顎台に取り付けられ、第１と第２の位置に移動可能な移動部材とを有し、前記移動部材は、顎台の検眼装置側に取り付けられた一面に顎受け部を有する表裏反転可能な部材であり、該移動部材が第２の位置に移動したときは顎受け部が表面にきて、検眼装置側に更に顎受け部が形成される構成（図１）も採用している。
【００１０】
更に、本発明（請求項６）は、被検者の被検眼を検眼する検眼装置と、被検者の額を当接させる額当てと、被検者の顎を受ける顎受け部を備えた顎台と、顎台に取り付けられ、第１と第２の位置に移動可能な移動部材とを有し、前記移動部材は、水平軸を中心に顎台に対して回動可能な顎受け部を有する部材であり、該移動部材が第２の位置に移動したときは顎受け部が水平面にきて、検眼装置側に更に顎受け部が形成される構成（図３）も採用している。
【００１１】
以上のいずれの構成でも、検眼装置に対して前後する方向に沿って異なる位置で被検者の顎を受けることができるので、検眼装置本体を俯仰させることなく、被検者の視線の向きを上下方向に変えさせることができ、検眼範囲を広めることが可能になる。
【００１２】
【発明の実施の形態】
以下、図面に示す実施の形態に基づいて本発明を詳細に説明する。
【００１３】
［第１実施形態］
図１には、眼科装置を構成する検眼装置の一例として眼底カメラ１０が図示されている。対物レンズ１０ｂを有する眼底カメラ１０は、操作レバー１１とそれに付随の操作リング１１ａの操作により架台１２上を前後左右方向に移動でき、また被検者１３に対して上下方向に移動できるように構成されている。更に眼底カメラ１０は、被検眼１３ａを中心に水平面内で回動できると共に、軸１０ａを中心に垂直面内でも回動できるようになっている。
【００１４】
また、架台１２には、２本の支柱１８が取り付けられており、これらの支柱間には、被検者の額を当接させる額当て１４と、被検者の顎を受ける顎受け部１５ａを備えた顎台１５が取り付けられている。この顎台１５は、２本の支柱１８に沿って上下方向に移動でき、また所定の高さに固定することができる。
【００１５】
この顎台１５には、シャフト１７を介してシャフト軸を中心に回動可能に支持された移動部材１６が取り付けらる。移動部材１６には、眼底カメラ１０の対物レンズ１０ｂの光軸１０ｃに沿った方向（眼底カメラに対して前後する方向）に見て眼底カメラから遠い方に位置する突出部１６ａと、近い方に位置する突出部１６ｂが形成され、各突出部１６ａと１６ｂは垂直方向に互いに逆方向に突出しており、また突出部１６ｂからは顎受け部１６ｃとなる面が形成される。
【００１６】
このような構成において、被検者１３の顎を眼底カメラ１０から遠ざかる位置に受けて着座させたい場合には、顎台１５を所定の高さに調節した後、図１（Ａ）、（Ｃ）に示したように、突出部１６ａが垂直上方を向くように移動部材１６を顎台１５に対して回転させる。このような状態で、被検者１３は、その額を額当て１４に当て、またその顎を顎受け部１５ａに乗せ、また顎前部を突出部１６ａに当接させて着座するので、その視線の方向は、例えば眼底カメラ１０の対物レンズ１０ｂの光軸１０ｃにほぼ一致した方向となる。
【００１７】
一方、眼底上部を観察ないし撮影しようとして被検者の視線の方向を上方に向けさせたい場合には、移動部材１６をシャフト１７の軸を中心に１８０度回転させ、表裏を反転させる。このとき、図１（Ｂ）、（Ｄ）に示したように、顎受け部１６ｃ並びに突出部１６ｂが上方に現れるので、被検者１３は顎を顎受け部１６ｃに乗せ、顎前部を突出部１６ｂに当接させて着座するようになり、また被検者１３の額は額当て１４で固定される形となるので、被検者の視線の方向は、対物レンズ１０ｂの光軸１０ｃを仰ぐ角度となって、眼底カメラ１０は、眼底の上部を観察ないし撮影できるようになる。このとき、顎台１５の顎受け部１５ａと移動部材１６に形成される顎受け部１６ｃは、ほぼ同一面となっているので、被検者は顎を顎受け部に乗せるとき、違和感を感じることはない。
【００１８】
このように、移動部材の顎受け部１６ｃが、図１（Ａ）、（Ｃ）に示すように、裏面にくる（顎受け部１６ｃが非使用位置に切り換えられる）ときには、被検者はその顎を、眼底カメラに対して前後する方向で眼底カメラから遠い位置にある顎受け部１５ａに、また、図１（Ｂ）、（Ｄ）に示すように、表面にきて（顎受け部１６ｃが使用位置に切り換えられ）眼底カメラ側に顎受け部が形成されるときには、被検者はその顎を、眼底カメラに近い顎受け部１６ｃに乗せるので、眼底カメラ１０を軸１０ａを中心に回動させて俯仰させることなく、移動部材の回動だけで、被検者の視線の向きを上下に変化させることができるようになる。
【００１９】
［第２実施形態］
図２には、本発明の他の実施形態が図示されており、この実施形態では、顎台２０に顎受け部２１が設けられ、この顎受け部２１が顎台２０に対して眼底カメラの前後方向にスライド可能に構成される。顎台２０には、溝穴２３ｂを有するレバー２３がピン２３ａを介してそれぞれ左右に取り付けられ、また、顎台２０には、顎受け部２１がスライドできるように、案内レール２０ａ（図２（Ｄ））が形成されている。
【００２０】
また、顎受け部２１には、顎前部を位置決めさせる突出部２２が取り付けており、更に顎受け部２１はその両側に、顎台２０の案内レール２０ａ上を滑動するスライダ２１ａを有し、またこの顎受け部２１には、ピン２４ａを介して顎受け部２１に取り付けられ、ピン２４ｂがレバー２３の溝穴２３ｂに係合するレバー２４がそれぞれ左右に取りつけられている。また、顎受け部２１は、顎台２０に固定された固定手段（固定ビス）２５により顎台２０に対して固定できるようになっている。
【００２１】
なお、顎台以外の他の部分は、第１実施形態と同様であり、その詳細な説明は省略する。
【００２２】
このような構成において、被検者１３の顎を眼底カメラ１０から遠い位置に受けて着座させたい場合には、顎台２０を所定の高さに調節した後、図２（Ａ）、（Ｃ）に示したように、顎受け部２１を被検者側にスライドさせた状態に設定する。このような状態で、被検者１３は、その額を額当て１４に当て、またその顎を顎受け部２１に乗せ、顎前部を突出部２２に当接させて着座するので、その視線の方向は、対物レンズ１０ｂの光軸１０ｃにほぼ一致した方向となる。
【００２３】
一方、眼底上部を観察ないし撮影しようとして被検者の視線を上方に向けさせたい場合には、顎受け部２１を眼底カメラ側に移動させる。レバー２３、２４のピンと溝穴の嵌合によりスライダ２１ａが顎台２０の案内レール２０ａ上をスライドするので、図２（Ｂ）、（Ｄ）に示したように、顎受け部２１が眼底カメラ１０に近い位置に移動する。そして、被検者１３は顎を顎受け部２１に乗せ、その前部を突出部２２に当接させて着座する。この場合被検者１３の額は額当て１４で固定される形となるので、被検者の視線の方向は、対物レンズ１０ｂの光軸１０ｃを仰ぐ角度となって、眼底カメラ１０は、眼底の上部を観察ないし撮影できるようになる。
【００２４】
なお、顎受け部２１は、移動後固定ビス２５により顎台２０に対して固定できるので、スライド位置がずれるのを防止することができる。また、レバー２３を、例えばストッパーを用いて図２（Ｃ）、（Ｄ）に図示した位置以上に移動できないようにすることにより、図２（Ｃ）、（Ｄ）の位置を移動限界位置とすることができる。
【００２５】
このように、顎受け部２１は、眼底カメラに対して前後する方向で異なる位置に移動可能であるので、この実施形態でも、第１の実施形態と同様な効果が得られる。またこの実施形態では、顎受け部２１を眼底カメラに対して連続的に前後方向に移動させることができるので、第１の実施形態に比較して顎を連続した位置に位置決めすることができ、被検者の視線方向を連続して変化させることができる。
【００２６】
［第３実施形態］
図３には、本発明の他の実施形態が図示されており、この実施形態では、顎受け部３０ａを備えた顎台３０と、その顎台の水平軸３０ｂを中心に回動可能な移動部材３１が設けられ、この移動部材に突出部３１ａと顎受け部３１ｂが形成される。顎台以外の他の部分は、第１実施形態と同様であり、その詳細な説明は省略する。
【００２７】
このような構成において、被検者１３の顎を眼底カメラ１０から遠い位置に受けて着座させたい場合には、顎台３０を所定の高さに調節した後、図３（Ａ）、（Ｃ）に示したように、移動部材３１を直立した位置に切り換える。このような状態で、移動部材３１の顎受け部３１ｂは、垂直になって非使用状態となり、被検者１３は、その額を額当て１４に当て、またその顎を顎台の顎受け部３０ａに乗せて着座するので、その視線の方向は、対物レンズ１０ｂの光軸１０ｃにほぼ一致した方向となる。
【００２８】
一方、眼底上部を観察ないし撮影しようとして被検者の視線を上方に向けさせたい場合には、移動部材３１を水平軸を中心に９０度回転させ、顎受け部３１ｂがほぼ水平となって（顎受け部３１ｂが使用位置に切り換えられる）、眼底カメラ側に顎受け部３０ａに続く顎受け部３１ｂが形成されるようにする。この状態では、図３（Ｂ）、（Ｄ）に示したように、被検者１３は顎を顎受け部３１ｂに乗せ、また顎前部を突出部３１ａに当接させて着座する。この場合、被検者１３の額は額当て１４で固定される形となるので、被検者の視線の方向は、対物レンズ１０ｂの光軸１０ｃを仰ぐ角度となって、眼底カメラ１０は、眼底の上部を観察ないし撮影できるようになる。
【００２９】
この実施形態でも、第１実施形態と同様な効果が得られる。
【００３０】
［第４実施形態］
図４には、本発明の他の実施形態が図示されており、この実施形態では、顎受け部４０ａと顎前部の位置を規制する突出部４０ｂを有する顎台４０が設けられ、この顎台４０は、一方の端部において垂直軸となる支柱１８（図４（Ｃ）、（Ｄ）において左側の支柱）を中心に回動可能に構成され、図４（Ｃ）に示したように、顎台４０が最も眼底カメラから遠ざかる位置に回動するときは、右側の支柱１８が顎台４０に形成された係合穴４０ｃに係合し、顎台に取り付けられた固定ネジ４１を介して顎台の他端を支柱１８に固定できるように構成される。顎台以外の他の部分は、第１実施形態と同様であり、その詳細な説明は省略する。
【００３１】
このような構成において、顎台４０を所定の高さに調節した後、図４（Ａ）、（Ｃ）に示したように、顎台４０が最も眼底カメラから遠ざかる位置に回動させ、固定ネジ４１を介して顎台の他端を支柱１８に固定する。被検者は、その額を額当て１４に当て、また顎を顎受け部４０ａに乗せその顎前部を突出部４０ｂに当てて着座する。従って、この状態では、その視線の方向は、対物レンズ１０ｂの光軸１０ｃにほぼ一致した方向となる。
【００３２】
一方、眼底上部を観察ないし撮影しようとして被検者の視線を上方に向けさせたい場合には、固定ネジ４１を緩め、顎台４０を支柱１８を中心にして回動させる。このとき顎台の顎受け部４０ａも垂直軸（支柱１８）を中心に回動するので、図４（Ｂ）、（Ｄ）に示したように、被検者１３は、眼底カメラに近づいた顎受け部４０ａに顎を乗せ、また顎前部を突出部４０ｂに当接させて着座するようになる。この場合、被検者１３の額は額当て１４で固定される形となるので、被検者の視線の方向は、対物レンズ１０ｂの光軸１０ｃを仰ぐ角度となって、眼底カメラ１０は、眼底の上部を観察ないし撮影できるようになり、上述した各実施形態と同様な効果が得られる。
【００３３】
なお、固定ネジ４２は、これを締め付けることにより顎台４０の振れを防止するために設けられるものであり、図４（Ｄ）に図示した位置での顎台を安定したものにすることができる。
【００３４】
この実施形態では、顎受け部４０ａを連続的に回動させることができるので、第２実施形態と同様に、視線方向を連続的に変えさせることができる。
【００３５】
［第５実施形態］
図５には、本発明の他の実施形態が図示されており、この実施形態では、顎台５０の両側に眼底カメラに対して前後する方向に複数の穴５０ａが形成され、また穴５０ａに嵌合するピン５１ａ、顎前部を規制する突出部５１ｂ並びに顎受け部５１ｃを有する移動部材５１が設けられる。この移動部材５１は、ピン穴構造により顎台５０に着脱可能に取り付けることができ、顎受け部５１ｃを眼底カメラに対して前後する方向で異なる位置に移動させることができるように構成される。顎台以外の他の部分は、第１実施形態と同様であり、その詳細な説明は省略する。
【００３６】
このような構成において、上述した各実施形態と同様に、顎台５０を所定の高さに調節する。その後、移動部材５１を眼底カメラ１０から遠い位置、あるいは近い位置に着脱させる。これにより、顎受け部５１ｃは、眼底カメラに対して前後する方向で異なる位置に移動するので、この顎受け部５１ｃに顎を乗せて着座する被検者の視線の方向を、対物レンズ１０ｂの光軸１０ｃに対して上下方向に変えることができ、上述した各実施形態と同様な効果が得られる。
【００３７】
なお、この実施形態では、移動部材５１は、２箇所にしか着脱できないが、穴５０ａを眼底カメラの前後方向に２箇所以上設けることにより、移動部材を２箇所以上の複数箇所で着脱可能にし、被検者の視線の方向を微調節して変化させるようにすることもできる。
【００３８】
［第６実施形態］
図６には、本発明の他の実施形態が図示されており、この実施形態では、顎台６０に複数の顎受け部６０ａ、６０ｂが眼底カメラに対して前後する方向に形成されており、その場合、眼底カメラに近い位置にある顎受け部６０ｂは遠い位置にある顎受け部６０ａより一段高くなっており、また顎受け部６０ｂには、突出部６０ｃが形成される。顎台以外の他の部分は、第１実施形態と同様であり、その詳細な説明は省略する。
【００３９】
このような構成において、上述した各実施形態と同様に、顎台６０を所定の高さに調節する。その場合、各顎受け部は顎台に対して不動の位置となっており、被検者が顎受け部６０ａに顎を載せる場合は、図６（Ａ）、（Ｃ）に示したように、顎受け部６０ｂとの段差によりその顎前部が位置決めされる。従って、被検者の顎は眼底カメラに対して後方位置になり、その視線の方向は、対物レンズ１０ｂの光軸１０ｃにほぼ一致した方向となる。
【００４０】
一方、被検者が顎受け部６０ｂに顎を載せる場合は、図６（Ｂ）、（Ｄ）に示したように、被検者の顎前部は突出部６０ｃにより位置決めされ、顎受け部６０ｂが眼底カメラに近い位置にあり、また顎受け部６０ａより一段高くなっているので、被検者の視線の方向は、対物レンズ１０ｂの光軸１０ｃを仰ぐ角度となり、上述した各実施形態と同様な効果が得られる。
【００４１】
なお、この実施形態では、顎受け部は２箇所しか形成されていないが、眼底カメラの前後方向に２箇所以上設け、眼底カメラに近い各顎受け部を遠い顎受け部よりそれぞれ一段高くすることにより、被検者の視線の方向を種々に変化させることもできる。
【００４２】
［第７実施形態］
図７には、本発明の他の実施形態が図示されており、この実施形態では、顎台７０に対して上下に折りたたみ可能な移動部材７１が設けられる。この移動部材７１には、下方に延びるピン７１ａ、顎受け部７１ｂ並びに上方に延びる突出部７１ｃが形成される。また、この移動部材７１には、軸７１ｄを中心に回動可能なレバー７２が取り付けられ、このレバー７２は、顎台７０の軸７０ｂを中心に回動可能なレバー７３とピン７４を介して回動可能に結合される。また顎台７０には、移動部材７１のピン７１ａと係合する穴７０ａが形成されている。
【００４３】
顎台以外の他の部分は、第１実施形態と同様であり、その詳細な説明は省略する。
【００４４】
このような構成において、上述した各実施形態と同様に、顎台７０を所定の高さに調節する。被検者１３の顎を眼底カメラ１０から遠い位置に位置決めして着座させたい場合には、図７（Ａ）、（Ｃ）に示したように、移動部材７１を顎台７０上に折りたたむ。このときに、移動部材７１のピン７１ａを顎台７０の穴７０ａに係合させて両者の位置を固定させる。このような状態で、被検者１３は、その額を額当て１４に当て、またその顎を移動部材７１の顎受け部７１ｂに乗せ顎前部を突出部７１ｃに当接させて着座するので、その視線の方向は、対物レンズ１０ｂの光軸１０ｃにほぼ一致した方向となる。
【００４５】
一方、眼底上部を観察ないし撮影しようとして被検者の視線を上方に向けさせたい場合には、移動部材７１を図７（Ｂ）、（Ｄ）に示したように引き出した状態にする。この状態では、被検者１３はその顎を、眼底カメラ側に引き伸ばされた顎受け部７１ｂに乗せて着座するので、被検者の視線の方向は、対物レンズ１０ｂの光軸１０ｃを仰ぐ角度となって、眼底カメラ１０は、眼底の上部を観察ないし撮影できるようになり、各実施形態と同様な効果が得られる。
【００４６】
【発明の効果】
以上説明したように、本発明では、被検者の顎を検眼装置に対して前後する方向で異なる位置に移動させることができるので、検眼装置本体を俯仰させることなく、被検者の視線の向きを変えることができ、検眼範囲を広めることが可能になる。
【図面の簡単な説明】
【図１】（Ａ）、（Ｂ）は、本発明の第１実施形態による眼科装置の側面図、（Ｃ）、（Ｄ）は顎台の上面図である。
【図２】（Ａ）、（Ｂ）は、本発明の第２実施形態による眼科装置の側面図、（Ｃ）、（Ｄ）は顎台の上面図である。
【図３】（Ａ）、（Ｂ）は、本発明の第３実施形態による眼科装置の側面図、（Ｃ）、（Ｄ）は顎台の上面図である。
【図４】（Ａ）、（Ｂ）は、本発明の第４実施形態による眼科装置の側面図、（Ｃ）、（Ｄ）は顎台の上面図である。
【図５】（Ａ）、（Ｂ）は、本発明の第５実施形態による眼科装置の側面図、（Ｃ）、（Ｄ）は顎台の上面図である。
【図６】（Ａ）、（Ｂ）は、本発明の第６実施形態による眼科装置の側面図、（Ｃ）、（Ｄ）は顎台の上面図である。
【図７】（Ａ）、（Ｂ）は、本発明の第７実施形態による眼科装置の側面図、（Ｃ）、（Ｄ）は顎台の側面図である。
【符号の説明】
１０  眼底カメラ
１３  被検者
１４  額当て
１５、２０、３０、４０、５０、６０、７０  顎台
１６、３１、４１、７１  移動部材
【図１】
0004667591.tif 000002
【図２】
0004667591.tif 000003
【図３】
0004667591.tif 000004
【図４】
0004667591.tif 000005
【図５】
0004667591.tif 000006
【図６】
0004667591.tif 000007
【図７】
0004667591.tif 000008